(57)【要約】      （修正有）【課題】動画カードを容器とを連携して使用可能な動画カード付き箱容器を提供する。【解決手段】動画カード付き箱容器１は、箱容器本体２と、箱容器本体の表面に形成され、第１絵図と第２絵図とが入れ替わり可能な動画カード３と、を備え、動画カードは、第１絵図が表示された外層カードと第２絵図が表示された内層カードとを有し、外層カードと内層カードにはその幅方向に長い所要数の矩形状の切抜き片が形成され、内層カードと外層カードの前記切抜き片が重なり合うように互いに差し込まれており、外層カードと内層カードとを切抜き片の幅分のストロークにわたり相対的に引き出しまたは押し出しの操作を行うことにより第１絵図と第２絵図とが入れ替わることを特徴とする。【選択図】図１
0003193608.tif 000002
【実用新案登録請求の範囲】
【請求項１】
箱容器本体と、
前記箱容器本体の表面に形成され、第１絵図と第２絵図とが入れ替わり可能な動画カードと、
を備え、
前記動画カードは、前記第１絵図が表示された外層カードと前記第２絵図が表示された内層カードとを有し、
前記外層カードと前記内層カードにはその幅方向に長い所要数の矩形状の切抜き片が形成され、前記内層カードと前記外層カードの前記切抜き片が重なり合うように互いに差し込まれており、
前記外層カードと前記内層カードとを前記切抜き片の幅分のストロークにわたり相対的に引き出しまたは押し出しの操作を行うことにより前記第１絵図と前記第２絵図とが入れ替わる
ことを特徴とする動画カード付き箱容器。
【請求項２】
引き出しまたは押し出しの前記操作を行うことにより前記第１絵図と前記第２絵図とが入れ替わるとともに、前記箱容器本体が開閉する
ことを特徴とする請求項１に記載の動画カード付き箱容器。
【請求項３】
引き出しまたは押し出しの前記操作は、前記箱容器本体が開閉する側にあるふた部を引き出すことである
ことを特徴とする請求項２に記載の動画カード付き箱容器。
【請求項４】
引き出しまたは押し出しの前記操作は、前記箱容器本体が開閉する側と反対側にある底端部を押し出すことである
ことを特徴とする請求項２に記載の動画カード付き箱容器。
【請求項５】
前記外層カードは、切抜きにより幅方向に所要数の切抜き片が形成された第１の外層カードと、第１の外層カードの切抜き片を打抜いた切抜き窓に差し込まれる切抜き片が形成された第２の外層カードとを有し、
前記内層カードは、前記第１の外層カードの切抜き片と同数の切抜き片が形成された第１の内層カードと、前記第１の内層カードの切抜き片を切抜いた切抜き窓に差し込まれる切抜き片が形成された第２の内層カードとを有し、
前記第１、第２の内層カードの切抜き片を前記第１、第２の外層カードの切抜き窓に差し込んで形成した
ことを特徴とする請求項１に記載の動画カード付き箱容器。
【考案の詳細な説明】
【技術分野】
【０００１】
本考案は動画カード付き箱容器に係り、特に二つの絵図が入れ替わり可能な動画カードが表面に設けられ内部に試供品やチョコレートやお年玉等の各種のものを収納可能な動画カード付き箱容器に関する。
【背景技術】
【０００２】
従来から、主として子供用の玩具や騙し絵的な遊具として、厚紙等の用紙に矩形状に複数の切抜きを施して切抜き片を形成した複数枚のシートを設け、これらシートの各切抜き片を切抜き跡の切抜き窓から差し込んで重ね合わせ、これらシートのうち固定シートの表面を覆う表紙の基部に可動シートの端部を継ぎ片により継ぎ、この表紙を開けると継ぎ片が引かれて可動シートが引き出され、各シートの切抜き片に描かれた絵や文字が入れ替って表示されるようにされた可動絵画が知られている（特許文献１、２、３参照）。
【０００３】
しかるに上記特許文献に記載の従来品は、表紙をめくって開ける操作を行うことにより可動シートが移動して別の絵に替る構造となっており、表紙を開けて行く過程で絵が替る動画的効果により楽しむものであるから、表紙が閉じられているときは絵が見えず、したがって表紙を開いて行く途中段階の変化のすべてを見ることが難しく、そのため使用目的が限られてしまうという難点があった。
【０００４】
これに対して、本願出願人は、２様の絵や文字を明確に切替えて表現することができ、かつ表紙の開閉操作を廃し、可動カードの直線的な引き出し操作によって絵や文字の切替え状況のすべてを見せることができるようにし、これにより偏平なカード形態に構成し得てクリスマスカードやお祝いのメッセージカード、一般のポストカード、絵馬などとして広範囲の使用目的に対応することができる動画カードを提案した（特許文献４）。
【先行技術文献】
【特許文献】
【０００５】
【特許文献１】特公昭５１−４０４８８号公報
【特許文献２】実公昭５１−１７９９５号公報
【特許文献３】実公昭５５−６６３８号公報
【特許文献４】実用新案登録３１３５４３６号公報
【考案の開示】
【考案が解決しようとする課題】
【０００６】
しかしながら、特許文献４に記載の動画カードにおいては、動画カードの外層カードは外装袋に設けられていたが、外装袋は扁平形状に形成されているために、せいぜいメッセージカード等の薄いシート状のものを挟み入れることができるだけであって、チョコレート等の多少の厚みを有するものを挿入するができず、このために、動画カードを容器とを連携して使用することができなかった。
【０００７】
そこで、本願考案の目的は、上記従来技術の問題を解消し、動画カードを容器とを連携して使用可能な動画カード付き箱容器を提供することである。
【課題を解決するための手段】
【０００８】
上記課題を解決するために、本願考案に係る動画カード付き箱容器は、箱容器本体と、前記箱容器本体の表面に形成され、第１絵図と第２絵図とが入れ替わり可能な動画カードと、を備え、前記動画カードは、前記第１絵図が表示された外層カードと前記第２絵図が表示された内層カードとを有し、前記外層カードと前記内層カードにはその幅方向に長い所要数の矩形状の切抜き片が形成され、前記内層カードと前記外層カードの前記切抜き片が重なり合うように互いに差し込まれており、前記外層カードと前記内層カードとを前記切抜き片の幅分のストロークにわたり相対的に引き出しまたは押し出しの操作を行うことにより前記第１絵図と前記第２絵図とが入れ替わることを特徴とする。
【０００９】
また、引き出しまたは押し出しの前記操作を行うことにより前記第１絵図と前記第２絵図とが入れ替わるとともに、前記箱容器本体が開閉することを特徴とする。
【００１０】
また、引き出しまたは押し出しの前記操作は、前記箱容器本体が開閉する側にあるふた部を引き出すことであることを特徴とする。
【００１１】
また、引き出しまたは押し出しの前記操作は、前記箱容器本体が開閉する側と反対側にある底端部を押し出すことであることを特徴とする。
【００１２】
また、前記外層カードは、切抜きにより幅方向に所要数の切抜き片が形成された第１の外層カードと、第１の外層カードの切抜き片を打抜いた切抜き窓に差し込まれる切抜き片が形成された第２の外層カードとを有し、
前記内層カードは、前記第１の外層カードの切抜き片と同数の切抜き片が形成された第１の内層カードと、前記第１の内層カードの切抜き片を切抜いた切抜き窓に差し込まれる切抜き片が形成された第２の内層カードとを有し、前記第１、第２の内層カードの切抜き片を前記第１、第２の外層カードの切抜き窓に差し込んで形成したことを特徴とする。
【考案の効果】
【００１３】
本願考案の構成によれば、箱容器本体と、前記箱容器本体の表面に形成され、第１絵図と第２絵図とが入れ替わり可能な動画カードと、を備えているので、箱容器本体にチョコレート等の種々のものを収納することができるとともに、動画カードの絵図の動的な変化と箱容器本体内の内容物の露見とを連携させることができ、動画カード付き箱容器を操作する者に驚き的喜びを供することができる。
【図面の簡単な説明】
【００１４】
【図１】動画カード付き箱容器の一実施形態を示し、動画カードに第２絵図が現れた状態を示す。
【図２】同、動画カードに第１絵図が現れた状態を示す。
【図３】外箱の展開図における第１の外層カードを示す図。
【図４】外箱の展開図における第２の外層カードを示す図。
【図５】内箱の展開図における第１の内層カードを示す図。
【図６】内箱の展開図における第２の内層カードを示す図。
【図７】（Ａ）は、第２の外層カードの切抜き片を第１の外層カードの切抜き窓に差し込んだ状態を示す断面図であり、（Ｂ）は、第２の内層カードの切抜き片を第１の内層カードの切抜き窓に差し込んだ状態を示す断面図。
【図８】動画カード付き箱容器の他の実施形態を示し、動画カードに第２絵図が現れた状態を示す。
【図９】同、動画カードに第１絵図が現れた状態を示す。
【考案を実施するための最良の形態】
【００１５】
以下に図面を参照して、本願考案の実施の形態について説明する。  
図１と図２は、本実施の形態に係る動画カード付き箱容器１を示す斜視図である。動画カード付き箱容器１は、厚みを有する直方体状の箱容器本体２と箱容器本体２の表面２ａに形成された動画カード３とを備えている。箱容器本体２は外箱４と外箱４に対して引き出し可能な内箱５とを有する。動画カード３は、外箱４に形成された外層カード６と内箱５に形成された内層カード７とを備えている。外箱４は頂部と底部とが開口した筒状に形成されており、外箱４の上面に外層カード６が形成されている。内箱５は、ふた部５ｂと連続し内箱５の収納部を形成する底部とこの底部に連続し押し部５ａを経て折り曲げられ外箱４の上面の裏側に位置する内層カード７とから構成されている。
【００１６】
外層カード６には第１絵図８が表示され、内層カード７には第２絵図９が表示されている。第１絵図８と第２絵図９とは互いに関連性がある絵図であり、互いに入れ替わることによる動的変化性によって種々の印象を惹起することができるものである。
【００１７】
外箱４の底部には切り欠き部４ａが形成されており、外箱４の頂部には留め部４ｂが形成されている。内箱５の底部には切り欠き部４ａから露出する押し部５ａが形成されており、内箱５の頂部には留め部４ｂに係止可能なふた部５ｂが形成されている。
【００１８】
図２に示す動画カード付き箱容器１において、外箱４と内箱５とが閉じた関係にあり、動画カード３には外層カード６の第１絵図８が現れている。この状態において、内箱５の押し部５ａ（底端部）を頂部側へ押すことにより、動画カード付き箱容器１は図１に示す状態になる。図１に示す動画カード付き箱容器１において、外箱４に対し内箱５が押し出され、動画カード３には内装カード７の第２絵図９が現れている。なお、図２に示す動画カード付き箱容器１の状態において、内箱５の押し部５ａを頂部側へ押す代わりに、内箱５のふた部５ｂを引き出すことにより動画カード付き箱容器１は図１に示す状態にすることも可能である。
【００１９】
箱容器本体２には、チョコレート、化粧品の試供品、結婚や出産等の祝儀紙幣、母の日等のプレゼント品やその他、種々のものを収納することができる。
【００２０】
そして、図２に示す動画カード付き箱容器１において内箱５の押し部５ａを頂部側へ押すか、あるいは内箱５のふた部５ｂを引き出すかすることにより、動画カード３が第１絵図８から第２絵図９に入れ替わるとともに同時に内箱５に収納された内容物が露見する。このように、動画カード３の絵図の動的な変化と内容物の露見とが同時に生じることによって、動画カード付き箱容器１を操作する者に驚き的喜びを供することができる。
【００２１】
次に、図３乃至図７を参照して、図１及び図２に示す動画カード付き箱容器１の構成について説明する。  
図４は外箱４の展開図を示し、符合４ｅは外箱４の下面部を示す。外層カード６は、切抜きにより幅方向に所要数、例えば５個の切抜き片１４が形成された第１の外層カード１２（図３）と、第１の外層カード１２の切抜き片１４を打抜いた切抜き窓１５に差し込まれる切抜き片１６が形成された第２の外層カード１３（図４）とを有する。図３と図４において、斜線で表示した部分が互いに重なり外層カード６を形成する部位である。
【００２２】
図５は内箱５の展開図を示し、符合５ｃは内箱５の下面部を示す。内層カード７は、第１の外層カード１２の切抜き片１４と同数の切抜き片２０が形成された第１の内層カード１８と、第１の内層カード１８の切抜き片２０を切抜いた切抜き窓２１に差し込まれる切抜き片２２が形成された第２の内層カード１９とを有する。図５と図６において、斜線で表示した部分が互いに重なり内層カード７を形成する部位である。
【００２３】
図７（Ａ）は、第２の外層カード１３の切抜き片１６を第１の外層カード１２の切抜き窓１５に差し込み、第１の外層カード１２と第２の外層カード１３とを一体化していることを示す。図７（Ｂ）は、第２の内層カード１９の切抜き片２２を第１の内層カード１８の切抜き窓２１に差し込み、第１の内層カード１８と第２の内層カード１９とを一体化していることを示す。
【００２４】
なお、上記においては、外層カード６を第１の外層カード１２と第２の外層カード１３の２つのカードで形成し、内層カード７を第１の内層カード１８と第２の内層カード１９の２つのカードで形成することを示したが、引き抜き動作の安定性を多少低くすることを受け入れれば、外層カード６を１つのカードで形成し、内層カード７を１つのカードで形成することも可能である。
【００２５】
以上、本実施の形態の構成によれば、動画カード付き箱容器１は厚みを有する直方体状の箱容器本体２と箱容器本体２の表面２ａに形成された動画カード３とを備えているので、箱容器本体２にチョコレート、化粧品の試供品、結婚や出産等の祝儀紙幣、母の日等のプレゼント品やその他、種々のものを収納することができ、動画カード３の絵図の動的な変化と箱容器本体２内の内容物の露見とを同時に生じさせることができ、動画カード付き箱容器１を操作する者に驚き的喜びを供することができる。
【００２６】
また、内箱５の押し部５ａを頂部側へ押すという押し出し動作行為によって、動画カード３を図２に示す状態から図１に示す状態に入れ替えることができるので、押し出し動作行為に慣れた文化を有する人に違和感を与えることなく動画カード付き箱容器１の操作が可能になる。
【００２７】
また、内箱５の押し部５ａを頂部側へ押す代わりに、内箱５のふた部５ｂを引き出すことにより動画カード付き箱容器１は図１に示す状態にすることも可能であるので、引き出し動作行為に慣れた文化を有する人に違和感を与えることなく動画カード付き箱容器１の操作が可能になる。
【００２８】
次に、図８及び図９を参照して、他の実施の形態について説明する。  
本実施の形態に係る動画カード付き箱容器１においては、箱容器本体２は厚みを有する直方体状の外箱４のみから構成されており、外箱４はふた部４ｃとふた部４ｃが係止可能な留め部４ｄを有する。動画カード３は、外箱４に形成された外層カード６と外箱４の上面の裏側に配設された内層カード７とを備えている。内層カード７は外箱４の外層カード６に対し引き出し可能に配設されている。
【００２９】
図４に示す動画カード付き箱容器１において、外箱４のふた部４ｃは留め部４ｄに係止され、外箱４は閉じており、動画カード３には外層カード６の第１絵図８が現れている。この状態において、ふた部４ｃを留め部４ｄから外してふた部４ｃが開けられ、外箱４内の内容物を見たり取り出したりすることが可能になり、同時に、内層カード７の先端部を指で摘まみ引き出すことにより、図３に示すように動画カード３には内装カード７の第２絵図９が現れる。本実施の形態の展開図は、図３乃至図６に示すものと同じではないが、同様な手法を構成することができる。
【００３０】
本実施の形態の構成によれば、外箱４のみから構成される箱容器本体２は厚みを有する直方体状に形成されているので、箱容器本体２内にチョコレート等のおしゃれな贈答品や化粧品の試供品等の種々のものを収納することができる。また、外箱４を開けた状態で、内層カード７の先端部を指で摘まみ引き出すことにより動画カード３に第２絵図９を表示させ、内層カード７の先端部を押し戻すことにより動画カード３に第１絵図８を表示させ、動画カード３の絵変わりを楽しむことができる。
【符号の説明】
【００３１】
１  動画カード付き箱容器
２  箱容器本体
３  動画カード
６  外層カード
７  内層カード
８  第１絵図
９  第２絵図
１２  第１の外層カード
１３  第２の外層カード
１４、１６  切抜き片
１５  切抜き窓
１８  第１の内層カード
１９  第２の内層カード
２０，２２  切抜き片
２１  切抜き窓
【図１】
0003193608.tif 000003
【図２】
0003193608.tif 000004
【図３】
0003193608.tif 000005
【図４】
0003193608.tif 000006
【図５】
0003193608.tif 000007
【図６】
0003193608.tif 000008
【図７】
0003193608.tif 000009
【図８】
0003193608.tif 000010
【図９】
0003193608.tif 000011